(57)【要約】ボールペンなどが、後退可能なインク容器（１３）および筆記チップ（１２）を有し、これらは、軸筒（１１）の遠位端に位置する透明包囲体（１８）内で自由に移動可能なロック部材（１９）によって伸張位置に解放可能に保持される。ロック部材（１９）は、フットボールまたはゴルフボールの外観を有してもよい。別の実施形態において、ロック部材は長くなっており、宣伝または販売促進マークを付けることができる平坦な側部を有する。
2006517878.tif 000002
【特許請求の範囲】
【請求項１】
筆記具であって、
軸筒と、
前記軸筒の軸方向に移動可能な筆記流体容器であって、それにより、前記容器の筆記チップが前記軸筒の一端部から突出するか、またはその内部に後退することができる、筆記流体容器と、
前記容器を前記後退位置に付勢するばね手段と、
前記容器から延出して前記軸筒の開口を通って突出し、それにより、前記容器を前記ばね手段の作用に逆らって前記突出位置に移動させることができる、トリガと、
前記容器を前記突出位置に解放可能に保持する保持手段とを含み、
前記保持手段は、前記軸筒の他端部に位置する包囲体内を自由に移動可能なロック部材を有し、
前記包囲体は、前記ロック部材が第１位置と第２位置との間を重力又は慣性によって移動可能な形状を有し、
前記第１位置は、前記ロック部材が前記容器を前記突出位置で保持するために前記包囲体の或る部品と前記容器の間に挿入されることが可能である位置であり、
前記第２位置は、前記ロック部材が前記後退位置への前記容器の移動を妨げない位置であり、
前記ロック部材の移動は、前記トリガの作動によって前記ばね手段の影響から解放されたときに行われる
筆記具。
【請求項２】
前記包囲体は、透明である、請求項１に記載の筆記具。
【請求項３】
前記包囲体の或る側部から内側にストッパ手段が突出しており、
前記容器は、前記チップから遠いその端部にプランジャを有し、
該プランジャから前記トリガが延出しており、
前記プランジャは、前記ストッパ手段と反対の側部で前記包囲体の長手方向において上向きに延出するフランジまたはリップを有し、
前記ロック部材は、前記ばね手段によって前記ストッパ手段と前記フランジまたはリップとの間に保持されるときを除いて、前記ストッパ手段を通過することができる寸法である、
請求項１または２に記載の筆記具。
【請求項４】
前記ストッパ手段は、前記包囲体の端部の中間に位置し、
前記プランジャから遠い側の前記ストッパ手段の側方には、前記ロック部材が内部を自由に移動可能である前記包囲体の区画室が設けられている、
請求項３に記載の筆記具。
【請求項５】
前記ロック部材は、丸み付き形状を有する、
請求項３または４に記載の筆記具。
【請求項６】
前記ロック部材は、ほぼ球形である、
請求項５に記載の筆記具。
【請求項７】
前記包囲体は、前記軸筒の前記他端部の拡大部である、
請求項３〜６のいずれか１項に記載の筆記具。
【請求項８】
前記ロック部材は、前記包囲体の軸方向に伸長しており、前記包囲体の一端部は段差状
であって、前記ロック部材が前記容器と前記包囲体の前記段差部との間にある状態では、前記ばね手段は前記容器を前記後退位置へ移動させることができない構造になっている、請求項１または２に記載の筆記具。
【請求項９】
前記ロック部材は、一端部で回動可能であり、その他端部で前記包囲体の横方向に移動可能である、
請求項８に記載の筆記具。
【請求項１０】
前記ロック部材は、前記容器の、前記チップから遠方の端部に位置するプランジャと接触している相対的に大きい丸み付き端部と、前記段差部に係合する相対的に細い端部とを有し、
前記プランジャが前記ばね手段の作用に逆らって後退した状態では、前記ロック部材は前記プランジャ上で揺動し、それによってその細い端部を前記段差部に係合させることができるような構造になっている、
請求項９に記載の筆記具。
【請求項１１】
前記段差部は、前記容器の、前記チップから遠方の端部に位置するプランジャ上に設けられており、
前記ロック部材は、前記包囲体の、前記プランジャから遠方の端部に回動可能に取り付けられた相対的に太い端部と、前記段差部に整合する位置または整合しない位置間で前記包囲体を横切って移動することができる相対的に細い端部とを有する、
請求項９に記載の筆記具。
【請求項１２】
前記トリガは、前記容器の、前記チップから遠方の端部に位置するプランジャから延出し、
前記プランジャは、前記包囲体の第１区画室内に進退自在に挿入されており、
前記第１区画室は、前記包囲体の、該第１区画室から側方にずれた位置にある第２区画室と連通しており、
前記プランジャが移動して前記ばねを圧縮するとき、前記ロック部材は重力または慣性の作用を受けて前記区画室間を変位可能であり、
前記ロック部材が前記第１区画室内に位置するとき、前記容器の後退を阻止するように、また、前記ロック部材が前記第２区画室内に位置するとき、前記ばね手段が前記容器を前記後退位置に移動させることができるような構造になっている、
請求項１または２に記載の筆記具。
【請求項１３】
前記ロック部材は、ボールの形になっている、
請求項１２に記載の筆記具。
【請求項１４】
前記プランジャの、前記容器から遠い端部は、面取りされ、それにより、前記容器が前記突出位置に保持されるとき、前記ロック部材が前記第１区画室から退避するのを防止する、請求項１２または１３に記載の筆記具。
【請求項１５】
添付図面の図１および図２、図３および図４、図５および図６、または図７および図８に示され、またそれらを参照しながら以上に概ね記載された筆記具。
【発明の詳細な説明】
【技術分野】
【０００１】
本発明は、改良型筆記具であって、筆記流体室の一端部にボール先端のような筆記チップを有し、たとえば、手または衣服を不注意で汚すことを防止するために、不使用時には筆記流体室および筆記チップが筆記具の軸筒またはハウジング内に後退可能である種類の改良型筆記具に関する。
【背景技術】
【０００２】
この筆記具で書くには、筆記チップおよび筆記流体室を軸筒に対して、筆記チップが軸筒の一端部から突出するまで移動させ、筆記チップを伸張位置に保持するために、解除可能なロック手段が使用される。
【発明の開示】
【発明が解決しようとする課題】
【０００３】
本発明の目的は、使用するのが魅力的で楽しく、また、宣伝または販売促進物の表示に適するそのような筆記具用の機構を提供することである。
【課題を解決するための手段】
【０００４】
本発明によれば、軸筒と、筆記流体容器であって、上記軸筒の軸方向に移動可能であり、それにより、上記容器の筆記チップが上記軸筒の一端部から突出するか、またはその内部に後退することができる、筆記流体容器と、上記容器を後退位置に付勢するばね手段と、上記容器から延出し上記軸筒の開口を通って突出し、それにより、上記容器を上記ばね手段の作用に逆らって突出位置に移動させることができる、トリガと、上記容器を突出位置に解放可能に保持する保持手段とを含む筆記具であって、前記包囲体は、前記ロック部材が第１位置と第２位置との間を重力又は慣性によって移動可能な形状を有し、前記第１位置は、前記ロック部材が前記容器を前記突出位置で保持するために前記包囲体の或る部品と前記容器の間に挿入されることが可能である位置であり、前記第２位置は、前記ロック部材が前記後退位置への前記容器の移動を妨げない位置であり、前記ロック部材の移動は、前記トリガの作動によって前記ばね手段の影響から解放されたときに行われる筆記具が提供される。
【０００５】
包囲体は、透明であることが好ましい。
【０００６】
本発明の一実施形態において、上記包囲体の或る側部の内側からストッパ手段が突出しており、上記容器は、チップから遠いその端部にプランジャを有し、プランジャからトリガが延出しており、上記プランジャは、上記包囲体の、上記ストッパ手段と反対の側部で包囲体の長手方向上向きに延出するフランジまたはリップを有し、上記ロック部材は、上記ばね手段によってストッパ手段とフランジまたはリップとの間に保持されるときを除いて、上記ストッパ手段を通過することができる寸法である。
【０００７】
上記ストッパ手段は、上記包囲体の端部の中間に位置し、上記ストッパ手段の、プランジャから遠い側に、上記ロック部材が内部を自由に移動可能である上記包囲体の区画室が設けられていることが好ましい。
【０００８】
ロック部材は、丸み付き形状を有することが好ましく、ほぼ球形であってもよい。
【０００９】
包囲体は、軸筒の他端部の拡大部であってもよい。
【００１０】
本発明の別の実施形態において、上記ロック部材は、上記包囲体の軸方向に長くなっており、上記包囲体の一端部は段差状であって、上記ロック部材が上記容器と上記包囲体の段差部との間にある状態では、上記ばね手段は容器を後退位置へ移動させることができないような構造になっている。
【００１１】
上記ロック部材は、一端部で回動可能であってもよく、その他端部で上記包囲体の横方向に移動可能であってもよい。
【００１２】
上記ロック部材は、上記容器の、上記チップから遠い端部に位置するプランジャと接触している相対的に大きい丸み付き端部と、段差部に係合する相対的に細い端部とを有してもよく、上記プランジャがばね手段に逆らって後退した状態では、上記ロック部材はプランジャ上で揺動し、それによってその細い端部を段差部に整合させることができるような構造になっている。
【００１３】
代替として、段差部は、上記容器の、上記チップから遠い端部に位置するプランジャ上に設けられていてもよく、上記ロック部材は、上記包囲体の、上記プランジャから遠い端部に回動可能に取り付けられた相対的に太い端部と、段差部に整合する位置または整合しない位置間で包囲体を横切って移動することができる相対的に細い端部とを有してもよい。
【００１４】
本発明によるさらなる別の実施形態において、上記トリガは、上記容器の、上記チップから遠い端部に位置するプランジャから延出し、上記プランジャは、包囲体の第１区画室内に滑り嵌め(進退自在に挿入)されており、上記第１区画室は、上記包囲体の、上記第１区画室から側方にずれた位置にある第２区画室と連通しており、上記プランジャが移動してばねを圧縮するとき、上記ロック部材は重力または慣性の作用を受けて区画室間を変位可能であり、上記ロック部材が上記第１区画室内に位置するとき、上記容器の後退を阻止するように、また、上記ロック部材が第２区画室内に位置するとき、上記ばね手段が容器をその後退位置に移動させることができるような構造になっている。本実施形態において、上記ロック部材は、ボールの形になっていることが好ましい。
【００１５】
上記プランジャの、上記容器から遠い端部は、面取りされ、それにより、上記容器が突出位置に保持されるとき、ロック部材が第１区画室から逃げるのを防止することが好ましい。
【発明を実施するための最良の形態】
【００１６】
次に、添付図面を参照しながら、本発明の好適な実施形態を説明する。
【００１７】
図１および図２に示された筆記具１０は軸筒１１を有し、軸筒の一端部からインク容器１３の筆記チップ１２が突出することができ、上記容器およびそのチップは、軸筒１１と容器１３上のストッパ（stop）４０との間に作用する圧縮ばね１４によって付勢され、それにより、容器１３およびそのチップ１２は軸筒１１内に後退することができる（図２）。代替として、ばね１４は、容器１３の全長にわたって延在して、容器１３のチップ１２から遠方の容器１３の端部に一体化されたプランジャ１５の下側に作用することができる。プランジャ１５から一体型トリガまたはラッチ１６が突出している。これは、スロット１７を通して軸筒１１から延出しており、スロット１７は軸筒１１の軸方向に十分に長く延びて、チップ１２が軸筒１１から延出するまで、トリガ１６がストップ手段１３ＡＢを介してばね１４の作用に逆らって移動できるようにしている。
【００１８】
軸筒１１のチップ１２から遠い端部は、球形のロック部材またはボール１９用の包囲体を提供する透明拡大部１８であり、球形のロック部材またはボール１９は包囲体全体にわ
たって自由に移動可能である。包囲体の長さに沿った中間位置で、ストッパ（stop）２０が包囲体の内側に突出している。包囲体の、ストッパ２０から遠方の側で、リップまたはフランジ２１がプランジャ１５から包囲体内へ突出しており、これらの部材の寸法は、ボール１９がフランジ２１と接触状態にない場合、ボール１９がストッパ２０を通過することができるが、ボール１９がフランジ２１およびストッパ２０間に捕らえられている場合、プランジャ１５が包囲体の内側へ移動できないようにする寸法である。
【００１９】
所望ならば、上記拡大部の一部分だけを透明にし、それにより、ボール１９がその２つの位置の一方にあるときにだけ見えるようにしてもよい。透明性を感温材料によってもたらし、それにより、手で持つことによって包囲体が暖められた場合にだけ、包囲体の内部が見えて、他の場合には不透明であるようにしてもよい。
【００２０】
チップ１２を軸筒１１内に後退させるには、最初にトリガ１６をばね１４に逆らって十分に押し込み、それにより、ボール１９がストッパ２０を通過できるようにする。必要ならば、図２に示されているように、ボール１９が重力により、または慣性でストッパ２０の上方の包囲体の上部区画室内へ転動するまで、筆記具を逆さにし、かつ／または振ることができる。この時、筆記チップ１２が後退する（図２）まで、ばね１４はプランジャ１５を包囲体１８の内側に移動させることができる。
【００２１】
この順序を逆にするため、トリガ１６を十分に押し下げ、それにより、ボール１９がストッパ２０を越えて落下することができるようにする間、筆記具１０を直立させておく。この時、トリガ１６を放すと、ボール１９はフランジ２１とストッパ２０との間に捕らえられるようになり、チップ１２がその伸張位置に保持される。
【００２２】
ボール１９には、フットボール、ゴルフボール、クリケットボールまたは任意の他の球技用ボールに似せた形状およびマークを有することができる。筆記具のボールおよび／または他の構成部材に特定のスポーツクラブ、会またはチーム（side）を識別するマークを付けてもよく、それにより、筆記具を宣伝および販売促進品と共にノベルティ品として使用することができる。
【００２３】
図３および図４に示された本発明の代替実施形態において、筆記具１０Ａは軸筒１１Ａを有し、その一端部からインク容器１３Ａのチップ１２Ａが突出することができる。容器１３Ａは、チップ１２Ａから遠方の端部でプランジャ１５Ａと一体化しており、プランジャ１５Ａからトリガまたはラッチ１６Ａがスロット１７Ａを通って軸筒１１Ａの外に突出している。ばね１４Ａが、プランジャ１５Ａおよび容器１３Ａをチップ１２Ａの後退位置に付勢している（図４）。
【００２４】
しかし、本実施形態において、ロック部材１９Ａは球形でなく長くなっており、軸筒１１Ａの、チップ１２Ａから遠方の端部に位置する透明包囲体１８Ａ内に入っている。ロック部材１９Ａは平坦な側部を有し、プランジャ１５Ａの対向端部の溝２３にはまったより太い丸み付き端部２２を有する。包囲体１８Ａ内には、プランジャ１５Ａから遠い位置にブロック２４が設けられ、ブロック２４は、包囲体の横方向の一部分だけに延在し、ロック部材１９Ａの細い方の端部２７に選択的に当たることができる段差部(step)２５を提供している。
【００２５】
図３および図４の筆記具の使用において、チップ１２Ａを図３の位置から図４の位置に後退させるために、最初に、ロック部材１９Ａを自由にするために、トリガ１６Ａが十分に押し下げられる。すると、ロック部材は、その丸み付き端部２２を中心にして回転して、その細い方の端部２７が段差部２５から外れるまで、包囲体１８Ａを横切って移動する。これは、筆記具を振ってロック部材１９Ａを慣性によって移動させるか、または筆記具
を水平にして、ロック部材１９Ａが重力の作用でその新しい位置に移動するようにすることによって達成されることができる。トリガ１６Ａをここで放すと、チップ１２Ａが軸筒１１Ａ内に後退した位置を画定するスロット１７Ａの上端部にトリガ１６Ａが当接するまで、ばね１４Ａがプランジャ１５Ａを上昇させる（図４）。チップ１２Ａを伸張させるには、再びトリガ１６Ａを十分に押し下げて、それにより、ロック部材１９Ａの細い方の端部２７が段差部２５に整合するまで、ロック部材１９Ａが包囲体１８Ａを横切って戻ることができるようにし、これも重力または慣性によって達成される。この時にトリガ１６Ａを放すと、ロック部材１９Ａはプランジャ１５Ａと段差部２５との間に詰まり、チップ１２Ａをその伸張位置に保持する。
【００２６】
図５および図６の筆記具は、実効的に図４および図５の逆であるロックシステムを有する。長い先細状のロック部材１９Ｂは、包囲体１８Ｂの、インク容器１３Ｂから遠方の端部により太い丸み付き端部２２Ｂを有する。好ましくは、ロック部材１９Ｂは、包囲体１８Ｂにまたがったピン２６によって回動する。プランジャ１５Ｂの、ロック部材１９Ｂに面する端部は、２５Ｂのように段差状になっている。ロック部材１９Ｂの細い方の端部が段差部２５Ｂに整合するとき、筆記チップ１２Ｂが伸張位置に保持される。段差部２５Ｂに整合しないとき（図６）、容器１３Ｂをばね１４Ｂによって後退位置に移動させることができる。
【００２７】
ロック部材１９Ａまたは１９Ｂの平坦側部のいずれか一方、または両方に宣伝または販売促進物のマークを付けることができる。
【００２８】
図７および図８の実施形態において、包囲体１８Ｃは、プランジャ１５Ｃが内部に滑り込むようにされた第１区画室２７と、第１区画室からずれた位置にあって筆記具の上端部で第１区画室と連通している第２区画室２８とを有する。ボール１９Ｃの形のロック部材は、プランジャ１５Ｃによってその動きが自由にされるとき、包囲室１８Ｃの横方向に区画室２７および２８間を移動自在となる。筆記チップ１２Ｃを軸筒１１Ｃから突出させるには、トリガ１６Ｃを押し下げて、ばね１４Ｃを圧縮する。プランジャ１５Ｃが区画室２８と整合しない位置へ移動すると、ボール１９Ｃは図７の位置から図８の位置に転動する。これは、筆記具を「上下逆(flipping)」にし、それによってボールが慣性によって相対的に移動すること、およびボール１９Ｃが重力の作用で移動するまで傾けることのいずれかによって達成される。ここでトリガ１６Ｃを放すと、ボール１９Ｃは、ばね１４Ｃによってプランジャ１５Ｃと包囲体１８Ｃの上部との間に捕らえられる。この効果を高めて、ボール１９Ｃが誤って離脱することを防止するために、好ましくはプランジャ１５Ｃの上端部３０が図示のように面取りされる。
【００２９】
本実施形態において、区画室２８によって与えられる「オーバーハング部分」が、筆記具用のポケットクリップ３１の基部として使用される。
【００３０】
もちろん、本明細書および添付の特許請求の範囲で使用される「筆記具」および「筆記流体」は、単なる文字の筆記だけでなく、任意のグラフィックの目的にも使用される器具および流体を包含するものとする。
【図面の簡単な説明】
【００３１】
【図１】本発明に従った筆記具の第１実施形態の、筆記チップを伸張させた状態で示す断面図である。
【図２】図１の筆記具と同様であるが、筆記チップを後退させた状態で示す断面図である。
【図３】本発明に従った筆記具の第２実施形態の、筆記チップを伸張させた状態で示す断面図である。
【図４】図３と同様であるが、筆記チップを後退させた状態で示す断面図である。
【図５】本発明に従った筆記具の第３実施形態の、筆記チップを伸張させた状態で示す断面図である。
【図６】図５と同様であるが、筆記チップを後退させた状態で示す断面図である。
【図７】本発明に従った筆記具の第４実施形態の、筆記チップを伸張させた状態で示す断面図である。
【図８】図７と同様であるが、筆記チップを後退させた状態で示す断面図である。
【図１】
2006517878.tif 000003
【図２】
2006517878.tif 000004
【図３】
2006517878.tif 000005
【図４】
2006517878.tif 000006
【図５】
2006517878.tif 000007
【図６】
2006517878.tif 000008
【図７】
2006517878.tif 000009
【図８】
2006517878.tif 000010
【国際調査報告】
2006517878.tif 000011
2006517878.tif 000012